(57)【要約】【課題】多くの外部入力を有するテレビジョン受信機において、さらにパソコン入力が付加された場合の、特にパソコン入力に対するユーザの切り換え利便性を向上させる。【解決手段】ビデオ入力など各外部入力信号の有無を検出する信号検出回路を設け、入力モード切り換え時、入力の無い端子は入力をスキップさせる。パソコン入力に対しても同様に信号検出回路を設け、入力の無い場合は入力モード切り換え時入力をスキップさせるが、パソコン入力については動作中でもパワーセーブ機能などにより頻繁に入力信号が無くなるため、一旦パソコン信号を検出したらその後は信号が無くなっても入力スキップさせない。また、パソコン信号が無しから有りに変化した場合は自動的にパソコン入力に切り換える。さらに前記動作の有無をユーザが選択可能にする。以上によりパソコン入力端子付きテレビジョン受信機のユーザの切り換え利便性を向上させる。【選択図】図１
2006254033.tif 000002
【特許請求の範囲】
【請求項１】
入力モード切り換え時、パソコン入力を含む各外部入力端子に対して、入力信号の有無を検出し、入力信号が無ければその外部入力はスキップする様に制御してトグル式で順次切り換えることを特徴としたテレビジョン受信機。
【請求項２】
パソコン入力の入力信号の有無による入力モード切り換え時のパソコン入力のスキップ動作を、ユーザが選択可能な事を特徴とする請求項１に記載のテレビジョン受信機。
【請求項３】
パソコン入力の入力信号をテレビジョン受信機が一通電動作中に一度でも有りと検出すれば、以後一通電動作中はパソコン入力の入力信号が無くなっても入力モード切り換え時のパソコン入力のスキップ動作をしない事を特徴とする請求項１に記載のテレビジョン受信機。
【請求項４】
パソコン入力の入力信号をテレビジョン受信機が一通電動作中に一度でも有りと検出すれば、以後一通電動作中はパソコン入力の入力信号が無くなっても入力モード切り換え時のパソコン入力のスキップ動作をしない事を、ユーザが選択可能な事を特徴とする請求項３に記載のテレビジョン受信機。
【請求項５】
パソコン入力の入力信号が無しから有りに変化した際は、入力モードがパソコン入力以外であっても、自動的にパソコン入力に入力モードが切り換わる事を特徴とする請求項１に記載のテレビジョン受信機。
【請求項６】
パソコン入力の入力信号が無しから有りに変化した際は、入力モードがパソコン入力以外であっても、自動的にパソコン入力に入力モードが切り換わる事を、ユーザが選択可能な事を特徴とする請求項５に記載のテレビジョン受信機。
【発明の詳細な説明】
【技術分野】
【０００１】
本発明は、テレビジョン受信機における、入力信号の切り換え制御方式に関するものである。
【背景技術】
【０００２】
近年、テレビジョン受信機への外部接続機器（ビデオ、ＤＶＤ、ゲーム、ビデオカメラ、ケーブルテレビ受信機、衛星放送受信機等）は多種多様に増加し、多くの外部入力端子を装備するテレビジョン受信機が一般的になっている。ユーザは希望する入力モードに切り換える際、トグル式で順次切り換えする操作が一般的である。
【０００３】
また、この様なテレビジョン受信機にはそれぞれの外部機器入力端子から入力信号の有無を検出し、その信号が無い場合には入力モード切り換え時には切り換えをスキップする様に制御し、ユーザの切り換え利便性を向上させているものがある（例えば、特許文献１参照）。
【特許文献１】特開２００１−８１１５号公報
【発明の開示】
【発明が解決しようとする課題】
【０００４】
ところで、テレビジョン受信機の中には、パソコン入力端子を装備するものも有る。このようなテレビジョン受信機では、ユーザの使用形態として、パソコンに時間のかかる演算やインターネットからのダウンロード等をさせておき、その間テレビ等を見る、といったように同時に使用する事が考えられ、パソコンとテレビ等の間の入力モードの切り換えは頻繁に起こる事が考えられる。
【０００５】
パソコン入力においても背景技術に記載したような、入力信号を検出してその有無により入力モード切り換え時に切り換えをスキップさせる事は有用であると考えられるが、ビデオ機器等とは異なり、パソコンには一般的にパワーセーブ機能と呼ばれるものがある。これは省電力のために、例えばある一定時間パソコンを操作しないとパソコンは信号出力を止め、表示装置の表示を停止させるものである。このパワーセーブ機能により、前記した外部接続機器の入力信号を検出して信号が無ければ入力切り換えをスキップする機能をそのままパソコン入力に適用したとすると、例えばパソコンの操作とテレビの視聴を切り換えながら使用していたユーザが、テレビ視聴の間にパソコンがパワーセーブ動作に入り、テレビジョン受信機をパソコン入力に切り換えられなくなる、という不具合が考えられる。この場合、ユーザはパソコンのキーやマウス等を操作する事によって、一旦パワーセーブ動作を解除してから、テレビジョン受信機の入力モードをパソコン入力に切り換える事になる。
【０００６】
このように、動作中にもかかわらず出力信号の有無が頻繁に切り換わるパワーセーブ動作が一般的であるパソコンを、テレビジョン受信機に入力する場合、前記した入力信号を検出してその有無により入力をスキップさせる機能を適用すると、ユーザは入力モード切り換え時の操作に混乱する事となる。
【課題を解決するための手段】
【０００７】
上記課題を解決するために、本発明は、入力モード切り換え時、パソコン入力を含む各外部入力端子に対して、入力信号の有無を検出し、入力信号が無ければその外部入力はスキップするように制御し、トグル式で順次切り換えを行うが、パソコン入力のスキップ動作の有無をユーザに選択可能にする。また、パソコン入力の入力信号をテレビジョン受信機が一通電動作中に一度でも有りと検出すれば、以後一通電動作中はパソコン入力の入力信号が無くなっても入力モード切り換え時のパソコン入力のスキップ動作をしない様にする。また、パソコン入力の入力信号をテレビジョン受信機が一通電動作中に一度でも有りと検出すれば、以後一通電動作中はパソコン入力の入力信号が無くなっても入力モード切り換え時のパソコン入力のスキップ動作をしない事を、ユーザが選択可能にする。
【０００８】
また、パソコン入力の入力信号が無しから有りに変化した際は、入力モードがパソコン入力以外の入力モードであっても、自動的にパソコン入力に入力モードが切り換わる様にする。また、パソコン入力の入力信号が無しから有りに変化した際は、入力モードがパソコン入力以外の入力モードであっても、自動的にパソコン入力に入力モードが切り換わる事を、ユーザが選択可能にする。
【発明の効果】
【０００９】
以上の様に、本発明によれば、パソコン入力を含む多くの外部入力端子を装備するテレビジョン受信機において、特にパソコン使用時に、パソコン特有の機能であるパワーセーブ機能を考慮した切り換え動作が可能となり、ユーザの入力切り換え利便性が向上する。
【発明を実施するための最良の形態】
【００１０】
本発明の第１の発明のテレビジョン受信機は、入力モード切り換え時、パソコン入力を含む各外部入力端子に対して、入力信号の有無を検出して入力信号が無ければその外部入力はスキップする様に制御し、トグル式で順次切り換えるため、ユーザは所望の入力モードへの切り換えを、未使用の入力モードはスキップした最短の操作で切り換えられる。
【００１１】
本発明の第２の発明のテレビジョン受信機は、第１の発明に記載の通り、入力モード切り換え時、パソコン入力を含む各外部入力端子に対して、入力信号の有無を検出して入力信号が無ければその外部入力はスキップする様に制御し、トグル式で順次切り換えるが、パソコン入力については入力スキップの有無をユーザに選択可能にし、パソコン使用時には入力スキップを無しにする事によって、パソコンのパワーセーブ動作によるユーザの混乱を防止する。
【００１２】
本発明の第３の発明のテレビジョン受信機は、第１の発明に記載の通り、入力信号検出の有無によるスキップ動作を行うが、パソコン入力の入力信号をテレビジョン受信機が一通電動作中に一度でも有りと検出すれば、以後一通電動作中の間はパソコン入力の入力信号が無くなっても入力モード切り換え時のパソコン入力のスキップ動作をしないようにする事により、入力スキップによるユーザの切り換え利便性を保ちつつ、パソコンのパワーセーブ動作時のパソコン入力の入力スキップを防ぎ、ユーザの混乱を防止する。
【００１３】
本発明の第４の発明のテレビジョン受信機は、第３の発明に記載の通り、入力信号検出の有無によるスキップ動作を行うが、パソコン入力の入力信号をテレビジョン受信機が一通電動作中に一度でも有りと検出すれば、以後一通電動作中はパソコン入力の入力信号が無くなっても入力モード切り換え時のパソコン入力のスキップ動作をしないようにする事を、ユーザに選択可能にし、ユーザの用途に応じたスキップ動作をさせるようにする。
【００１４】
本発明の第５の発明のテレビジョン受信機は、第１の発明に記載の動作に加え、パソコン入力の入力信号が無しから有りに変化した際は、入力モードがテレビ受信中またはビデオ入力モード等パソコン入力以外であっても自動的にパソコン入力に入力モードが切り換わるようにする。パソコン入力信号が無しから有りに変化するという事は、パソコンを立ち上げる、もしくはマウス等の操作によりパワーセーブ動作から復帰させるなど、基本的にはユーザがパソコンをこれから使用するという事であり、テレビジョン受信機の入力切り換え操作の手間を省く。前記した入力切り換えのスキップ動作と併せ、ユーザの切り換え利便性がさらに向上する。
【００１５】
本発明の第６の発明のテレビジョン受信機は、第５の発明に記載の、パソコン入力の入力信号が無しから有りに変化した際は、入力モードがテレビ受信中またはビデオ入力モード等パソコン入力以外であっても自動的にパソコン入力に入力モードが切り換わるようにする事を、ユーザに選択可能にし、ユーザの用途に応じた動作をさせるようにするものである。これは、パソコンの稼動をタイマー等で自動的にさせているような用途も考えられ、必ずしもパワーセーブから復帰したから入力モードを切り換える事を望まないユーザを考慮している。
【００１６】
（実施の形態１）
図１は本発明の実施の形態１に係るテレビジョン受信機のブロック構成図である。図１において、１〜５は各映像信号の入力端子（２〜５は外部入力端子）、６は切り換え回路、７は映像信号出力、８は入力モード切り換え入力、９は信号検出回路、１０は制御マイコンである。
【００１７】
次に、上記構成の動作について説明する。入力モード切り換え時、ユーザはリモコンやキースイッチ等によってテレビジョン受信機の入力モードを切り換えようとするが、これが、入力モード切り換え入力８から制御マイコン１０に伝わる。制御マイコン１０は信号検出回路９を通して外部入力端子２〜５の入力信号の有無の情報を得て、入力信号の無い外部入力に関してはスキップし、入力信号の有る外部入力のみを順次切り換える様切り換え回路６を制御し、映像信号出力７に出力するようにする。これにより信号入力されていない、即ち使用していない外部入力をスキップし、目的の入力モードに最短の信号切り換え入力で切り換える事が出来る。
【００１８】
（実施の形態２）
図２は本発明の実施の形態２に係るパソコン入力の信号検出の有無による入力スキップ動作をユーザに選択可能にした例であり、オンスクリーンのユーザ選択メニュー等に「パソコン入力信号検出スキップ機能」を設けユーザに「する」もしくは「しない」を選択させる。このとき「する」を選択していれば実施の形態１の動作であり、「しない」を選択した場合パソコン入力については信号検出の有無に依らず、入力モード切り換え可能にする。
【００１９】
これによりユーザは用途により選択が可能となり、「しない」を選択すれば前記した通りパソコンとテレビ等他入力モードの切り換えにおいて、パワーセーブ動作によりユーザは混乱することなく、入力モード切り換えが可能となる。
【００２０】
（実施の形態３）
図３は本発明の実施の形態３に係るテレビジョン受信機の動作を示すフローチャートである。また、ブロック構成については実施の形態１の図１と同様である。
【００２１】
実施の形態１にも示した通り、入力モード切り換えにおいて入力信号の有無により外部入力をスキップするが、パソコン入力への入力モード切替の際（ステップＳ３１）、パソコン入力信号の有無を検出する（ステップＳ３２）。信号が有った場合はそのままパソコン入力に切り換える（ステップＳ３４）。信号が無かった場合、テレビジョン受信機を通電動作させてからパソコン入力信号の検出が一度でもされていたか制御マイコン６は確認し、されていればパソコン入力に切り換える（ステップＳ３４）。テレビジョン受信機の一通電動作の間に一度もパソコン入力信号の検出が無ければ次の入力へ入力スキップする（ステップＳ３５）。
【００２２】
これにより入力モード切り換え時、パソコン未使用時はパソコン入力をスキップ、パソコン使用時はパソコンがパワーセーブ状態に移行してもテレビジョン受信機の電源を一旦切らない限りパソコン入力をスキップしないようになり、ユーザはパワーセーブ動作により混乱することなく、また、パソコン未使用時は実施の形態１と同様に目的の入力モードに最短の信号切り換え入力で切り換える事が出来る。
【００２３】
（実施の形態４）
図４は実施の形態３の動作をユーザ選択可能にし、さらに実施の形態２と組み合わせたときの例である。オンスクリーンのユーザ選択メニュー等に実施の形態２と同様に「パソコン入力信号検出スキップ機能」を設け、ユーザに「する」もしくは「する（パワーセーブ対応）」もしくは「しない」を選択させる。「する」を選択すれば実施の形態１の動作、「する（パワーセーブ対応）」を選択すれば実施の形態３の動作をし、「しない」を選択した場合パソコン入力については信号検出の有無に依らず、入力モード切り換え可能にする。
【００２４】
これによりユーザの用途に合わせた入力モード切り換え動作が可能になる。パソコンのパワーセーブ機能を使用しない場合は「する」を選択、パソコンのパワーセーブ機能を常時使用している場合は「する（パワーセーブ対応）」を選択すると良い。また、パソコン未使用時はどちらの「する」でも良い。
【００２５】
（実施の形態５）
図５は実施の形態５に係るテレビジョン受信機の動作を示すフローチャートである。また、ブロック構成については実施の形態１の図１と同様である。
【００２６】
テレビなどパソコン入力以外の通常動作中において、パソコン入力信号の状態を検出しておき（ステップＳ５１）、パソコン入力信号が無しから有りに変化した際には、パソコン入力に入力モードを自動で切り換える（ステップＳ５２）。前述した通り、パソコン入力信号が無しから有りに変化するという事は、パソコンを立ち上げる、もしくはマウス等の操作によりパワーセーブ動作から復帰させるなど、基本的にはユーザがパソコンをこれから使用するという事であり、テレビジョン受信機の入力切り換え操作の手間を省く。前記した入力切り換えのスキップ動作と併せ、ユーザの切り換え利便性をさらに向上させる。
【００２７】
（実施の形態６）
図６は実施の形態５の動作をユーザ選択可能にした例であり、オンスクリーンのユーザ選択メニュー等に「パソコン入力信号検出自動切り換え機能」を設けユーザに「する」もしくは「しない」を選択させる。このとき「する」を選択していれば実施の形態５の動作であり、「しない」を選択した場合はパソコン入力信号が無しから有りになった事を検出しても特に何もしない。前述した通り、これはパソコンの稼動をタイマー等で自動的にさせているような特殊用途も考えられ、必ずしもパワーセーブから復帰したから入力モードを切り換える事を望まないユーザを考慮したものである。
【産業上の利用可能性】
【００２８】
本発明のテレビジョン受信機は、パソコン入力を含む多くの外部入力端子を装備するテレビジョン受信機において、特にパソコン使用時に、パソコン特有の機能であるパワーセーブ機能を考慮した切り換え動作が可能となり、ユーザの入力切り換え利便性が向上する効果を有しており、テレビジョン受信機における入力信号の切り換え制御として有用である。
【図面の簡単な説明】
【００２９】
【図１】本発明の実施の形態１におけるブロック構成図
【図２】本発明の実施の形態２におけるユーザ選択メニューを示す図
【図３】本発明の実施の形態３における制御手順を示すフローチャート
【図４】本発明の実施の形態４におけるユーザ選択メニューを示す図
【図５】本発明の実施の形態５における制御手順を示すフローチャート
【図６】本発明の実施の形態６におけるユーザ選択メニューを示す図
【符号の説明】
【００３０】
１    テレビ信号入力
２    外部入力（ビデオ１）
３    外部入力（ビデオ２）
４    外部入力（ビデオ３）
５    外部入力（パソコン）
６    切り換え回路
７    映像信号出力
８    入力モード切り換え入力
９    信号検出回路
１０    制御マイコン
【図１】
2006254033.tif 000003
【図２】
2006254033.tif 000004
【図３】
2006254033.tif 000005
【図４】
2006254033.tif 000006
【図５】
2006254033.tif 000007
【図６】
2006254033.tif 000008